(57)【特許請求の範囲】
【請求項１】
ランプ嵌合部５の中央に中心端子１０が配設されていると共に周部に周辺端子１９が配設されているランプソケットに於いて、
上記中心端子１０は、コンタクト部１３ａ，１３ｂを有するコンタクト片１２ａ，１２ｂと、このコンタクト片１２ａ，１２ｂに連なり周部に向いた端面１７ａ，１７ｂを有する複数の非コンタクト部１５ａ，１５ｂを有し、上記コンタクト部１３ａ，１３ｂはその周部に向いた外側端面Ａが上記中央の嵌合軸の中心Ｃから一定の距離ｌを存した位置に位置するように配設されていると共に上記複数の非コンタクト部１５ａ，１５ｂの各々は、その端面１７ａ，１７ｂが上記中央の嵌合軸の中心Ｃから、上記一定の距離ｌより大きい距離Ｌを存した位置に位置するよう配設されて成り、
上記周部の周辺端子１９は、上記中心端子１０の複数の非コンタクト部１５ａ，１５ｂと同数の複数のコンタクト部２２ａ，２２ｂを備え、この複数のコンタクト部２２ａ，２２ｂの各々が上記中心端子１０の複数の非コンタクト部１５ａ，１５ｂの各々と１対１の対応関係で周部の位置に配設され、上記１対１の対応関係となる中央端子１０の各非コンタクト部１５ａ又は１５ｂの端面１７ａ又は１７ｂと周辺端子１９の各コンタクト部２２ａ又は２２ｂの表面２３ａ又は２３ｂ間の最短直線距離Ｒとなる領域には空間のみ存することを特徴とするランプソケット。
【請求項２】
上記中心端子１０のコンタクト片１２ａ，１２ｂに連なる複数の非コンタクト部の各々は、上記コンタクト片１２ａ，１２ｂに連なる絶縁シール部材抑え片１４ａ，１４ｂの先端に形成された抑え部１５ａ，１５ｂとして構成され、他方上記ランプ嵌合部５の嵌合軸の中心Ｃの周りには筒状部６が形成され、この筒状部６の外側に装着されるようにして筒状部６の上方に位置する筒状の絶縁シール部材７を備え、
上記中心端子１０は、そのコンタクト片１２ａ，１２ｂと絶縁シール部材抑え片１４ａ，１４ｂをこれら筒状部６と絶縁シール部材７の中に納められるようにして、且つその複数の絶縁シール部材抑え片１４ａ，１４ｂの先端の抑え部１５ａ，１５ｂが上記絶縁シール部材７の上面に位置して、それを抑えるようにして装着されて成り、上記絶縁シール部材７の上面に位置した複数の抑え部１５ａ，１５ｂの各々と上記周辺端子１９の複数のコンタクト部２２ａ，２２ｂとが１対１の対応関係とされ、上記１対１の対応関係となる中央端子１０の抑え部１５ａ又は１５ｂの端面１７ａ又は１７ｂと周辺端子１９の各コンタクト部２２ａ又は２２ｂの表面２３ａ又は２３ｂ間の最短直線距離Ｒとなる仮想直線Ｍ上の領域には空間のみ存することを特徴とする請求項１記載のランプソケット。
【請求項３】
上記中央端子１０の複数の非コンタクト部１５ａ，１５ｂの各々と、上記周辺端子１９の複数のコンタクト部２２ａ，２２ｂの各々の１対１の対応関係は、上記嵌合軸の中心Ｃと、上記周辺端子１９の複数のコンタクト部２２ａ，２２ｂの各々の何れかの部分とを仮想直線Ｍで結んだ時、この仮想直線Ｍ上に、中心端子１０の複数の非コンタクト部１５ａ，１５ｂの各々の何れかの部分が位置するような位置に中心端子１０の複数の非コンタクト部１５ａ，１５ｂの各々が配設されている対応関係であることを特徴とする請求項１記載のランプソケット。
【請求項４】
上記中心端子１０の複数の絶縁シール部材抑え片１４ａ，１４ｂ各々の抑え部１５ａ，１５ｂの端面１７ａ，１７ｂは円筒状の絶縁シール部材７の円筒を形成する円弧に沿って弧状に形成され、他方周辺端子１９の複数のコンタクト部２２ａ，２２ｂ各々の表面２３ａ，２３ｂは直線面として形成され、上記中心端子１０の複数の抑え部１５ａ，１５ｂの各々と、上記周辺端子１９の複数のコンタクト部２２ａ，２２ｂの各々の１対１の対応関係は、上記嵌合軸の中心Ｃと、上記周辺端子１９の複数のコンタクト部２２ａ，２２ｂの表面２３ａ，２３ｂの中央部分Ｇとを仮想直線Ｍで結んだ時、この仮想直線Ｍ上に中心端子１０の複数の抑え部１５ａ，１５ｂの各々の何れかの部分Ｈが位置するような位置に中心端子１０の複数の抑え部１５ａ，１５ｂの各々が配置され、上記仮想直線Ｍ上に於ける周辺端子１９の複数のコンタクト部２２ａ又は２２ｂの表面２３ａ又は２３ｂの中央部分Ｇと、中心端子１０の複数の抑え部１５ａ，１５ｂ各々の部分Ｈとの間が最短直線距離Ｒと成され、この最短直線距離Ｒ上の領域には空間のみ存することを特徴とする請求項２記載のランプソケット。
【発明の詳細な説明】
【０００１】
【産業上の利用分野】
本発明はランプソケットに係わり、更に詳しくは自動車用ヘッドランプに用いられるＨＩＤランプ等点灯時に高電圧のトリガー電圧を必要とするランプに用いられるランプソケットに関する。
【０００２】
【従来の技術】
周知の通り、自動車用ヘッドランプに、ＨＩＤランプ等点灯時に高電圧のトリガー電圧を必要とするランプが用いられており、この為のランプソケットも種々実用され又は提案されている。
【０００３】
上記ランプソケットの従来技術を図７に従い説明すると、ランプソケット４０は、そのランプボディ４１にランプ嵌合部４２が形成されている。そして上記ランプ嵌合部４２の中央に筒状部４３が区画され、その周りに絶縁シール部材４４が装着されている。そして上記筒状部４３内に、中心端子４５、即ちコンタクト部を有するコンタクト片４６ａ，４６ｂの一対が配設され、ランプ嵌合部４２の周部に周辺端子４７が装着され、そのコンタクト部４８が内側に向いた態様で形成されている。そして、ランプ３０は、そのランプボディ３１のランプ嵌合部３２をランプ嵌合部４２に嵌合せしめられると共に、そのランプ係合部３３をランプソケットの係合部に係合せしめられて接続される。
即ちランプ３０の図示せざる中央のランプ端子が上記中心端子４５に、ランプ３０の図示せざる周辺の端子が上記周辺端子４７に接続される。
【０００４】
上述したように上記従来技術の場合、中心端子４５の周りに筒状部４３が取り囲んだ構造の上、中心端子は、コンタクト片４６ａ，４６ｂのみにより構成されている。
【０００５】
【発明が解決しようとする課題】
このような技術では、ランプが装着される前に、仮に高電圧が印加された場合、中心端子４５と周辺端子４７の間で絶縁破壊が生じて火花（放電現象）が起きる恐れがあるが、上記従来技術の場合中心端子４５はコンタクト部４６ａ，４６ｂを有するコンタクト片のみで構成されているので、中心端子４５のコンタクト部４６ａ，４６ｂと周辺端子４７のコンタクト部４８間で放電現象が生じ、中心端子４５のコンタクト部４６ａ，４６ｂを損傷するおそれがあるのは勿論のこと、特に中心端子４５の回りには筒状部４３が取り囲んでいるので、即ち中心端子４５のコンタクト部４６ａ，４６ｂと周辺端子４７のコンタクト部４８間に、プラスチックス製の壁となる筒状部４３が介在しているので、上記放電現象により筒状部の損傷、変形を招来することとなる。すると、ランプソケットのランプ嵌合部自体の変形を招き、ランプの嵌合性能の低下及び嵌合不能の事態が生ずることとなる。
【０００６】
従って本発明の目的とする所は、ランプソケットに自動車用ヘッドライトに用いられるＨＩＤランプ等のランプを装着していない状態で、ランプソケットの中心端子と周辺端子間に不測に高電圧が印加された場合に於いて、中心端子と周辺端子間で絶縁破壊が生じて放電現象が生じても、中心端子のコンタクト部の損傷を防止するのは勿論のこと、特に中心端子と周辺端子間の放電経路中に放電現象を原因として損傷及び変形を受ける構成部材を介在させることなく、それによりランプソケットの嵌合性能を常時良好に維持し得るランプソケットを提供するにある。
【０００７】
【課題を解決する為の手段】
上記目的を達成する為に本発明は次の技術的手段を有する。即ち実施例に対応する添付図面中の符号を用いてこれを説明すると、本発明はランプ嵌合部５の中央に中心端子１０が配設されていると共に周部に周辺端子１９が配設されているランプソケットに於いて、
上記中心端子１０は、コンタクト部１３ａ，１３ｂを有するコンタクト片１２ａ，１２ｂと、このコンタクト片１２ａ，１２ｂに連なり周部に向いた端面１７ａ，１７ｂを有する複数の非コンタクト部１５ａ，１５ｂを有し、上記コンタクト部１３ａ，１３ｂはその周部に向いた外側端面Ａが上記中央の嵌合軸の中心Ｃから一定の距離ｌを存した位置に位置するように配設されていると共に上記複数の非コンタクト部１５ａ，１５ｂの各々は、その端面１７ａ，１７ｂが上記中央の嵌合軸の中心Ｃから、上記一定の距離ｌより大きい距離Ｌを存した位置に位置するよう配設されて成り、
上記周部の周辺端子１９は、上記中心端子１０の複数の非コンタクト部１５ａ，１５ｂと同数の複数のコンタクト部２２ａ，２２ｂを備え、この複数のコンタクト部２２ａ，２２ｂの各々が上記中心端子１０の複数の非コンタクト部１５ａ，１５ｂの各々と１対１の対応関係で周部の位置に配設され、上記１対１の対応関係となる中央端子１０の各非コンタクト部１５ａ又は１５ｂの端面１７ａ又は１７ｂと周辺端子１９の各コンタクト部２２ａ又は２２ｂの表面２３ａ又は２３ｂ間の最短直線距離Ｒとなる領域には空間のみ存することを特徴とするランプソケットである。
【０００８】
このような構成によると、このランプソケットＳにランプ３０を装着しない状態で不測に高電圧が印加された場合、ランプソケットＳの中心端子１０と周辺端子１９間で放電現象が生じたとしても、周辺端子１９のコンタクト部２２ａ又は２２ｂの表面２３ａ又は２３ｂと１対１の対応関係にあるのは中心端子１０のコンタクト片１２ａ，１２ｂのコンタクト部１３ａ，１３ｂではなく、中心端子１０の非コンタクト部１５ａ，１５ｂの端面１７ａ，１７ｂであって、その間が最短直線距離Ｒに設定してあるので、最短直線距離Ｒの対応関係にある中心端子１０の非コンタクト部１５ａ，１５ｂの端面１７ａ，１７ｂと周辺端子１９のコンタクト部２２ａ，２２ｂの表面２２ａ，２２ｂの間で放電現象が生ずるものであり、中心端子１０のコンタクト片１０のコンタクト部１３ａ又は１３ｂは全く損傷を受けない。
【０００９】
特に上記最短直線距離Ｒ間の領域には障害物となる構成部材が全く存在せず空間のみ存するので、放電現象により損傷又は変形を受ける部材がないから、仮にこの不測の放電現象が起きてもランプソケットＳのランプ嵌合部５自体は変形等しないからランプに対する嵌合性能が落ちたり、嵌合不能という事態の発生が防止される。
【００１０】
【発明の実施の形態】
次に添付図面図１〜図６に従い本発明の実施の形態を詳細に説明する。
ランプソケットＳはソケット本体１と、そのカバー２より成る。そして上記ソケット本体１には略円形状のランプ嵌合凹部３が形成され、更にこのランプ嵌合凹部３は上方のランプ係合部４とその下方のランプ嵌合部５に区画されている。そして上記ランプ嵌合部５の中心の嵌合軸の中心Ｃの周りには筒状部６が形成され、その筒状部６の周りに装着されるようにして筒状の絶縁シール部材７が筒状部６の上方に装着されている。更に上記ランプ嵌合部５内には、その内周壁８に対して僅かな間隙を存して環状に内側隔壁９が形成されている。この場合上記筒状部６の周りに装着され且つ筒状部６の上方に位置している絶縁シール部材７と内側隔壁９の間には空間のみ存している。
【００１１】
次いで上記嵌合軸の中心Ｃの周りには中心端子１０が装着されるものであるが、それを詳述すると、中心端子１０は図５の斜視図によりよく示されているように、基部１１と、その基部１１の両サイドから延びる互いに対向する一対のコンタクト片１２ａ，１２ｂを有している。そしてこれらのコンタクト片１２の先端内側には互いに対向するようにして各々コンタクト部１３ａ，１３ｂが形成されている。
【００１２】
更に上記一対のコンタクト片１２ａ，１２ｂの対向関係に対して平面からみて９０度異なる対向関係になるようにして上記基部１１の前後部にはコンタクト部を構成しない非コンタクト片としての一対の絶縁シール部材抑え片１４ａ，１４ｂが設けられている。そしてこれらのシール部材抑え片１４ａ，１４ｂの先には外方に向った態様で折曲げられた、非コンタクト部としての抑え部１５ａ，１５ｂが各々形成されている。加えてそれら各シール部材抑え片１４ａ，１４ｂの各抑え部１５ａ，１５ｂの端面１７ａ，１７ｂは弧状に形成されている。そして、上記基部１１の下方には一対の脚部１８ａ，１８ｂが設けられている。
【００１３】
次にこの中心端子１０を、ソケット本体１の筒状部６に装着した態様を図１，図４，図６を参照して説明する。
図１は、この発明の実施の形態のランプソケットをその平面図と共に符号Ｅを付した四角部分の拡大平面図を併せて示したものであるが、上記筒状の絶縁シール部材７が筒状部６の周りに装着された態様で筒状部６の上端を覆っているのでこの図１では筒状の絶縁シール部材７が図示されているが、その下方に筒状部６が存在するものであり、これら筒状部６及び絶縁シール部材７の中に基部１１及び一対のコンタクト片１２ａ，１２ｂ、並びに一対の絶縁シール部材抑え片１４ａ，１４ｂを位置させて中心端子１０が装着されている。この場合一対のコンタクト片１２ａ，１２ｂ間の中央、一対の絶縁シール部材抑え片１４ａ，１４ｂ間の中央が嵌合軸の中心Ｃに位置するように装着されている。
そして上記一対のコンタクト片１２ａ，１２ｂは、そのコンタクト部１３ａ，１３ｂを僅かに絶縁シール部材７の上面より上方に臨ませた態様で装着されていると共に、一対の絶縁シール部材抑え片１４ａ，１４ｂは筒状部６の内周壁に沿って上方へ立ち上げられ、且つそれら各々の先端の抑え部１５ａ，１５ｂが絶縁シール部材７の上面を覆い而も絶縁シール部材７を抑えるようにして装着されている。従って、絶縁シール部材７の上面を覆っている抑え部１５ａ，１５ｂの表面１６ａ，１６ｂが表面に臨んでいると共に、端面１７ａ，１７ｂが内側隔壁９に向って対向している。そして脚部１８ａ，１８ｂは筒状部６の下方へ導出され、図示せざる接続片を介して電線３４に接続されている。
【００１４】
そして、図１から明らかなように嵌合軸の中心Ｃと中心端子１０の一対のコンタクト片１２ａ，１２ｂ各々の外側端面Ａとの間の距離をｌとし、他方嵌合軸の中心Ｃと中心端子１０の一対の絶縁シール部材抑え片１４ａ，１４ｂ各々の抑え部端面１７ａ又は１７ｂとの間の距離をＬとすると、Ｌ＞ｌになるように定められている。
逆に言えば、図５で示した中心端子１０の一対のコンタクト片１２ａ，１２ｂと一対の絶縁シール部材抑え片１４ａ，１４ｂの大小関係、位置関係等は図１の拡大平面図で示した上記の配置関係になるようにそれらの形状が定められているものである。特に絶縁シール部材抑え片１４ａ，１４ｂ各々の抑え部端面１７ａ，１７ｂの弧の形状は絶縁シール部材７の円弧に略一致するように定められている。
【００１５】
続いて上記ランプ嵌合部５の周部、即ち内周壁８と内側隔壁９の間の間隙に周辺端子１９が装着されるものであるが、この周辺端子１９について図５に従い説明すると、周辺端子１９は基部２０の両サイドから弧状になって延びる連結片２１ａ，２１ｂ各々の先にコンタクト部２２ａ，２２ｂを有し、これら各コンタクト部２２ａ，２２ｂは、その表面２３ａ，２３ｂを連結片２１ａ，２１ｂの弧の内側に向って突出するような形状に形成されている。そして基部２０の下方には脚部２４が設けられている。この脚部２４には電線３４が接続される。
【００１６】
次にこの周辺端子１９をソケット本体１の嵌合部５の内周壁８と内側隔壁９との間の間隙に装着した態様を図１，図４，図６を参照して説明すると、上記周辺端子１９を内周壁８と内側隔壁９との間に挿入するようにして且つその基部２０及び両サイドから弧状を呈して延びる連結片２１ａ，２１ｂを内側隔壁９の壁面に沿わせるようにして装着し、而も各コンタクト部２２ａを内側隔壁９の上面を跨ぎ、その表面２３ａ，２３ｂが嵌合軸の中心Ｃに向うように位置決めして装着する。
この場合、２つのコンタクト部２２ａ，２２ｂの各々が中心端子１０の２つの絶縁シール部材抑え片１４ａ，１４ｂの抑え部１５ａ，１５ｂ各々に対応する位置となるように周辺端子１９を装着する。
【００１７】
上記で言う対応関係について詳述すると、中心端子１０の１つの絶縁シール部材抑え片１４ａの抑え部１５ａと周辺端子１９の１つのコンタクト部２２ａ，が対応関係にあり、もう一つの絶縁シール部材抑え片１４ｂの抑え部１５ｂは、周辺端子１９のもう１つのコンタクト部２２ｂと対応していること、すなわち１対１の対応関係にあること。（以下単に１対１の対応関係という）であり、更に、上記１対１の対応関係で言う対応とは、上記嵌合軸の中心Ｃと、周辺端子１９のコンタクト部、例えば１つのコンタクト部２２ｂの表面２３ｂの何れかの部分とを仮想直線Ｍで結んだ時、その仮想直線Ｍ上に１対１の対応関係となっている対応相手方の絶縁シール部材抑え片の抑え部、この例では符号１５ｂの抑え部の何れかの部分が位置するように、周辺端子１９のコンタクト部２２ｂと中央端子１０の絶縁シール部材抑え片１４ｂの抑え部１５ｂが互いに位置を定められて配置されているという意味である。（以下単に嵌合中心Ｃから延ばした仮想直線Ｍ上での対応関係という。）而も、中心端子１０の複数の絶縁シール部材抑え片１４ａ，１４ｂの抑え部１５ａ，１５ｂ各々の全てがそれと嵌合中心Ｃから延ばした仮想直線Ｍ上での対応関係にある相手方の周辺端子１９のコンタクト部２３ａ，２３ｂと１対１の対応関係に定められていることである。つまり複数対の内の１つの対のみではなく、複数対の全てが対応している。
【００１８】
さて、上記したように、中心端子１０の絶縁シール部材抑え片１４ａ，１４ｂの抑え部１５ａ，１５ｂ各々の端面１７ａ，１７ｂと内側隔壁９の間には空間のみ存して、他に何の障害物も構成されていないから、上記１対１の関係にあり、上記嵌合中心Ｃから延ばした仮想直線Ｍ上で対応関係ある絶縁シール部材抑え片１４ａ又は１４ｂの抑え部１５ａ又は１５ｂの端面１７ａ又は１７ｂと、周辺端子１９のコンタクト部２２ａ又は２２ｂの各々の表面２３ａ又は２３ｂ間には何れの障害物も構成されておらず空間のみ存するものである。
【００１９】
そして、この例では中心端子１０の絶縁シール部材抑え片１４ａ又は１４ｂの抑え部１５ａ，１５ｂの端面１７ａ又は１７ｂの全表面と上記で言う１対１の関係にある周辺端子１９のコンタクト部２２ａ又は２２ｂの表面２３ａ又は２３ｂの全表面間に何の障害物もない構成が示されているが、上記で言う１対１の対応関係にある絶縁シール部材抑え片１４ａ又は１４ｂの抑え部１５ａ又は１５ｂの端面１７ａ又は１７ｂの何れかの部分と、周辺端子１９のコンタクト部２２ａ又は２２ｂの表面２３ａ又は２３ｂの何れかの部分との間の最短直線距離間の領域に何の障害物も構成されておらず空間のみ存するように定めればよい。
【００２０】
上記で言う最短直線距離間の領域とは、１対１の対応関係にある絶縁シール部材抑え片１４ａ又は１４ｂの抑え部１５ａ又は１５ｂの端面１７ａ又は１７ｂの何れかの部分と、周辺端子１９のコンタクト部２２ａ又は２２ｂの表面２３ａ又は２３ｂの何れかの部分との間には無数の仮想直線を結ぶことができるが、その無数の仮想直線群の中でも最短距離になる直線間を含む領域という意味であり、この最短直線距離間がどこであるかは、絶縁シール部材抑え片１４ａ又は１４ｂの抑え部１５ａ又は１５ｂの端面１７ａ又は１７ｂの形状や、周辺端子１９のコンタクト部２２ａ又は２２ｂの表面２３ａ又は２３ｂの表面形状等によって異なる。但し、中心端子１０の各絶縁シール部材抑え片１４ａ，１４ｂの抑え部１５ａ又は１５ｂの端面１７ａ又は１７ｂの、嵌合軸の中心Ｃからの距離Ｌが、コンタクト片１２ａ，１２ｂのコンタクト部１３ａ又は１３ｂの嵌合軸の中心Ｃからの距離ｌに比して大なので、上記の抑え部１５ａ又は１５ｂの端面１７ａ又は１７ｂの形状如何によって、１対１の対応関係にある周辺端子１９のコンタクト部２２ａ，２２ｂの表面２３ａ，２３ｂの何れか部分と抑え部１５ａ又は１５ｂの端面１７ａ又は１７ｂの何れか部分との最短直線距離が、周辺端子１９のコンタクト部２２ａ，２２ｂの表面２３ａ，２３ｂの何れか部分と、抑え部１５ａ又は１５ｂに間隔を置いて隣接するコンタクト片１２ａ又は１２ｂのコンタクト部１３ａ又は１３ｂの何れか部分とを結ぶ最短直線距離より大きくなることはない。
【００２１】
そしてこの図示実施例では、周辺端子１９のコンタクト部２２ａ又は２２ｂの表面２３ａ又は２３ｂが直線面なので、その中央Ｇの部分が嵌合軸の中心Ｃに最も近く、他方抑え部１５ａ又は１５ｂの端面１７ａ又は１７ｂが絶縁シール部材７の円弧に沿った弧状であり、端面１７ａ又は１７ｂのどこも嵌合軸の中心Ｃから等距離にあることから、仮想直線Ｍ上の上記Ｇの部分と端面１７ａ又は１７ｂの符号Ｈの部分間が最短直線距離Ｒ間の領域となる。この領域に何の障害物も構成されておらず空間のみ存するものである。
【００２２】
上記構成に基づきこのランプソケットの使用法を説明すると、通常ランプ３０がこのランプソケットＳに嵌合装着されている場合には、図４に示すようにランプ３０のランプボディ３１のランププラグの嵌合部３２がランプソケットＳのランプ嵌合部５に嵌合し、ランププラグの係合部３３がランプソケットＳのランプ係合部４に係合している。この状態の時ランプソケットＳの中心端子１０の一対のコンタクト片１２ａ，１２ｂのコンタクト部１３ａ，１３ｂがランプ３０の中央の図示せざるランプ端子のコンタクトに接続せしめられている共に、周辺端子１９のコンタクト部２２ａ，２２ｂにランプ３０の周辺の図示せざる周辺端子のコンタクトに接続せしめられている。そして電線３４を介しての給電によりランプ３０が点灯するが、自動車のヘッドライトなどのＨＩＤランプの場合、瞬時に高電圧に昇圧するが、中心端子１０の周りの絶縁シール部材７がランププラグの周辺端子とソケットＳの中心端子１０のコンタクト片１２ａ，１２ｂとの間の絶縁性能及び耐圧性能を与えている。
【００２３】
ところで、このランプソケットＳにランプ３０を装着しない状態で不測に高電圧が印加された場合、ランプソケットＳの中心端子１０と周辺端子１９間で絶縁破壊が生じて火花（放電現象）が起きるおそれがある。仮にこの放電現象が生じたとしても、周辺端子１９のコンタクト部２２ａ又は２２ｂの表面２３ａ又は２３ｂと１対１の対応関係にあるのは中心端子１０のコンタクト片１２ａ，１２ｂのコンタクト部１３ａ，１３ｂではなく、中心端子１０の絶縁シール部材抑え片１４ａ，１４ｂの抑え部１５ａ，１５ｂの端面１７ａ，１７ｂであって、その間が最短直線距離Ｒに設定してあるので、最短直線距離Ｒの対応関係にある中心端子１０の絶縁シール部材抑え片１４ａの抑え部１５ａの端面１７ａと周辺端子１９のコンタクト部２２ａの表面２３ａの間か、又は同じように最短直線距離Ｒの対応関係にある中心端子１０の抑え部１５ｂの端面１７ｂと周辺端子１９のコンタクト部２２ｂの表面２３ｂの間で放電現象が生ずるものであり、中心端子１０のコンタクト片１０のコンタクト部１３ａ又は１３ｂは全く損傷を受けない。
【００２４】
特に上記最短直線距離Ｒ間の領域には障害物となる構成部材が全く存在せず空間のみ存するので、放電現象により損傷又は変形を受ける部材がないから、仮にこの不測の放電現象が起きてもランプソケットＳのランプ嵌合部５自体は変形等しないからランプ３０に対する嵌合性能が落ちたり、嵌合不能という事態の発生が防止される。
【００２５】
加えて、中心端子１０の複数の絶縁シール部材抑え片１４ａ，１４ｂの抑え部１５ａ，１５ｂ各々と、周辺端子１９の複数のコンタクト部２２ａ，２２ｂ各々とが１対１で対応し、即ち複数が１対１で対応し、各々の最短直線距離Ｒ間には何等の障害物もないので、複数の放電箇所があることから耐久性をより向上できる。
【００２６】
而して以上の実施例では、周辺端子１９の各コンタクト部２２ａ又は２２ｂに対応する中心端子１０のコンタクト片１２ａ又は１２ｂのコンタクト部１３ａ，１３ｂ以外の部分即ち非コンタクト部として、絶縁シール部材抑え片１４ａ，１４ｂの抑え部１５ａ，１５ｂを用いた例を示したが、絶縁シール部材７を抑える機能を有さずともその中心端子のコンタクト部以外の部分が周辺端子１９の各コンタクト即ち２２ａ又は２２ｂに上述した１対１の対応関係で対応し、且つ上述した嵌合中心Ｃから延ばした仮想直線Ｍ上での対応関係があるものならばそれを用いてもよい。
【００２７】
【効果】
以上詳述した如く請求項１記載の発明によると、ランプソケットに自動車ヘッドライト等のＨＩＤランプ等を装着しない状態で不測に高電圧が印加された場合、ランプソケットの中心端子と周辺端子間で絶縁破壊が生じて火花（放電現象）が生じても、中心端子の非コンタクト部と周辺端子のコンタクト部間の最短直線距離間の領域に放電現象が生ずるもので、中心端子のコンタクト部と周辺端子間で放電現象が生ずるおそれがなく、故に中心端子のコンタクト部の損傷を招来しないことは勿論のこと、特に上記最短直線距離間の領域には、障害物となる構成部材が全く存在せず空間のみ存するので、上記放電現象により損傷又は変形を受ける部材がないから、放電現象を原因とするランプソケットのランプ嵌合部自体の変形、損傷が発生せずランプに対する嵌合性能の低下、嵌合不能という事態が招来しない。
加えて、１対１で対応する中心端子の非コンタクト部と周辺端子コンタクト部が複数対あり、且つ各対が放電現象の生じ得る短直線距離を置いて対応し、その最短直線距離間には空間のみ存するので、即ち複数の放電箇所があるので、放電現象に対するランプソケットの耐久性を向上できる。
【００２８】
更に請求項２記載の発明によると上記請求項１記載の発明の利点に加えて、更に中心端子の非コンタクト部を絶縁シール部材抑え部として利用できる。
【００２９】
加えて請求項３記載の発明によると上記請求項１記載の発明の利点に加えて、この利点を実現する上での設計及び製作が容易となる。
【００３０】
更に請求項４記載の発明によると請求項２記載の発明の利点に加えて、この利点を実現する上での設計及び製作が容易となる。
【図面の簡単な説明】
【図１】本発明のランプソケットの一実施例を拡大平面図と共に示す平面図。
【図２】図１に示したランプソケットの背面図。
【図３】図１に示したランプソケットの右側面図。
【図４】図３の４−４線に沿う断面図。
【図５】図１に示したランプソケットを構成する中心端子と周辺端子の拡大斜視図を併せて示した分解斜視図。
【図６】図１に示したランプソケットの平面の斜め方向からみた斜視図。
【図７】従来技術を示す断面図。
【符号の説明】
Ｓ                  ランプソケット
１                  ソケット本体
２                  カバー
３                  ランプ嵌合凹部
４                  ランプ係合部
５                  ランプ嵌合部
６                  筒状部
７                  筒状の絶縁シール部材
８                  ランプ嵌合部の内周壁
９                  内側隔壁
１０                中心端子
１１                基部
１２ａ，１２ｂ      コンタクト片
１３ａ，１３ｂ      コンタクト部
１４ａ，１４ｂ      絶縁シール部材抑え片
１５ａ，１５ｂ      抑え部
１６ａ，１６ｂ      抑え部表面
１７ａ，１７ｂ      抑え部端面
１８ａ，１８ｂ      脚部
１９                周辺端子
２０                基部
２１ａ，２１ｂ      連結片
２２ａ，２２ｂ      コンタクト部
２３ａ，２３ｂ      コンタクト部表面
２４                脚部
３０                ランプ
３１                ランプボディ
３２                ランプの嵌合部
３３                ランプの係合部
３４                電線
Ｃ                  嵌合軸の中心
ｌ                嵌合軸の中心Ｃと中心端子１０のコンタクト片１２ａ又は
１２ｂのコンタクト部１３ａ又は１３ｂの外側端面Ａとの間の距離
Ｌ                嵌合軸の中心Ｃと中心端子１０の絶縁シール部材抑え片１４  ａ又は１４ｂの抑え部端面１７ａ又は１７ｂとの間の距離
Ｒ                互いに対応関係にある中心端子１０の絶縁シール部材抑え片１４ａ又は１４ｂの抑え部端面１７ａ又は１７ｂと、周辺端子１９のコンタクト部２２ａ又は２２ｂのコンタクト部表面２３ａ又は２３ｂ間の距離の内最短直線距離
【図１】
0004126418.tif 000002
【図２】
0004126418.tif 000003
【図３】
0004126418.tif 000004
【図４】
0004126418.tif 000005
【図５】
0004126418.tif 000006
【図６】
0004126418.tif 000007
【図７】
0004126418.tif 000008